(57)【要約】【課題】しかしながら、吸引用のカテーテルが口にカテーテルをくわえさせていた為、くわえさせ続ける事ができずにカテーテルが動き、口の中で固定できず口から出てしまったり、口の奥に入ったり、口の中の皮膚や舌を吸引してしまい唾液を吸引することができず持続吸引が難しいという問題点がある。【解決手段】唾液を吸収する唾液吸収材と、前記唾液吸収材を結合した容量吸収お知らせ部と、前記容量吸収お知らせ部の中央に容量吸収お知らせサインを設け、前記容量吸収お知らせ部を結合した口おおい布と、前記口おおい布の一角に耳かけ式取付け部を、備えた唾液吸収具。【選択図】図１
2018011908.tif 000002
【特許請求の範囲】
【請求項１】
唾液を吸収する唾液吸収材と、前記唾液吸収材を結合した容量吸収お知らせ部と、前記容量吸収お知らせ部の中央に容量吸収お知らせサインを設け、前記容量吸収お知らせ部を結合した口おおい布と、前記口おおい布の一角に耳かけ式取付け部を、備えた唾液吸収具。
【請求項２】
口の中の位置に固定するためのおしゃぶり器に、前記容量吸収お知らせ部を取り付け、前記おしゃぶり器の端部に一対の耳かけ式取付け部を備えた請求項１又は２記載唾液吸収具。
【請求項３】
高分子吸収材を容量吸収お知らせ部に内蔵した特徴とする請求項１又は２記載の唾液吸収具。
【請求項４】
容量吸収お知らせ部覗き窓を設けた容量吸収お知らせ部を取り付けた請求項１から３記載の唾液吸収具。
【発明の詳細な説明】
【技術分野】
【０００１】本発明は唾液誤嚥防止する為の唾液吸収具に関するものである。
【背景技術】
【０００２】従来の持続唾液吸引器では、吸引器で吸引器に接続された吸引用カテーテル１４を口にくわえさせ唾液を持続吸引していた。（例えば図８を参照。）
【発明の開示】
【発明が解決しようとする課題】
【０００３】しかしながら、吸引用のカテーテルが口にカテーテルをくわえさせていた為、くわえさせ続ける事ができずにカテーテルが動き、口の中で固定できず口から出てしまったり、口の奥に入ったり、口の中の皮膚や舌を吸引してしまい唾液を吸引することができず持続吸引が難しいという問題点がある。【０００４】本発明は、このような従来の問題を解決するもので、唾液吸収材を口の中で一定箇所に固定できるため、安定して唾液吸収材で唾液吸収できる唾液吸収具を提供することを目的とするのもである。
【課題を解決するための手段】
【０００５】唾液を吸収する唾液吸収材と、前記唾液吸収材を結合した容量吸収お知らせ部と、前記容量吸収お知らせ部の中央に容量吸収お知らせサインを設け、前記容量吸収お知らせ部を結合した口おおい布と、前記口おおい布の一角に耳かけ式取付け部を、備えた唾液吸収具。
また、口の中の位置に固定するためのおしゃぶり器に、前記容量吸収お知らせ部を取り付け、前記おしゃぶり器の端部に一対の耳かけ式取付け部を備えた唾液吸収具。
さらに、高分子吸収材を容量吸収お知らせ部に内蔵した特徴とする唾液吸収具。
そして、容量吸収お知らせ部覗き窓を設けた容量吸収お知らせ部を取り付けた唾液吸収具。
【発明の効果】
【０００６】本発明によれば、唾液吸収材を口の中で一定箇所に固定できるため、安定して唾液吸収材で持続唾液吸収できる。
【発明を実施するための最良の形態】
【０００７】本発明の唾液吸収具は、図１・図２に示されるように、図１は容量吸収お知らせ部１に唾液吸収材２を結合し、容量吸収お知らせ部１に口に直接あてる為の口おおい布３を結合し、口おおい布３の左端の一角、右端の一角に耳かけ式取付け部５を備え、使用者の耳にかけ唾液吸収材２が口からはずれないように構成したものである。図２に、口おおい布３の中央に容量吸収お知らせ部用覗き窓４を備える。【０００８】図３のＡ−Ａ断面図を表す水分の吸収を繊維自体の水分の吸水性が少なく後戻りしない性質の不織布１Ａの上に口に直接あてる為の口おおい布３を重ね、口おおい布３の上に吸収紙１Ｂを重ね、吸収紙１Ｂの上に線状パルプ１Ｃを重ね、綿状パルプ１Ｃの中に水分を吸収しゼリー状になる高分子吸収材１Ｄを設け、線状パルプ１Ｃの上に唾液が溜まる事がわかるお知らせ部１Ｅを重ね、口おおい布３の中央にお知らせ部覗き窓４を設け、お知らせ部１Ｅの上にお知らせ部覗き窓４を重ね、不織布１Ａと口おおい布３の真ん中に唾液吸収材２の接続穴１１を設け、唾液吸収材２を吸収紙１Ｂに接合する。【０００９】次に使用について図４について説明をする。図４のように唾液吸収材２を口の舌８の上にくわえさせ、唾液吸収材２を口の中の一定箇所に固定する為、図１に示した耳かけ式取付け部５を耳に引掛け、口の中にある唾液７を唾液吸収材２に吸い上げられる。
。次に図３について説明する。唾液９を、吸収紙１Ｂが唾液を吸収し、綿状パルプ１Ｃの中の高分子吸収材１Ｄが唾液を吸いゼリー状なり、ゼリー状の唾液が増えると水分によって変色するお知らせ部１Ｅが変色し、口おおい布３お知らせ部覗き窓４から変色したことで唾液が溜まった事がわかるように構成したものである。
【実施例】
【００１０】図５はおしゃぶり器１０の真ん中に唾液吸収材２を接続する穴１１を設け、おしゃぶり器１０の端部に耳かけ式取付け部通し穴１２を設け、おしゃぶり器１０の端部に耳かけ式取付け部通し穴１２に耳かけ式取付け部を通し、使用者の耳にかけ唾液吸収材２が口の中の位置に固定するためのおしゃぶり器１０で唾液吸収材２が口から外れないように構成したものである。
図７は唾液容量吸収お知らせ部１に唾液吸収材２を接合したものである。
唾液吸収材２は唾液吸収接続穴１１に着脱できる構造となっている。唾液吸収材２の直径は唾液吸収接続穴１１の穴径より大きめにできているが、唾液吸収材２は弾力性を有しているので、唾液吸収接続穴１１に挿入固定ができる。挿入された唾液吸収材２は舌の力で押されても唾液容量吸収お知らせ部１から外れることのない力で固定されている。また、唾液容量吸収お知らせ部１を交換するときは、おしゃぶり器１０から唾液容量吸収お知らせ部１を引っ張ることによって取り外すことができる構造となっている。【００１１】図６の断面から吸収紙１Ｂの上に線状パルプ１Ｃを重ね、線状パルプ１Ｃの中に水分を吸収しゼリー状になる高分子吸収材１Ｄを設け、線状パルプ１Ｃの上にお知らせ部１Ｅを重ね、唾液吸収材２を吸収紙１Ｂを接合し、おしゃぶり器１０に唾液吸収材２の接続穴１１を設ける。
【実施例】
【００１２】次に使用について説明をする。図４・図７のように唾液吸収材２を口の舌８の上にくわえさせ、唾液吸収材２を口の中の一定箇所に固定する為耳かけ式取付け部５を耳に引掛け、口の中にある唾液７を唾液吸収材２が吸い上げた唾液９を図６に示す、吸収紙１Ｂが唾液吸収材２の唾液を吸収し、綿状パルプ１Ｃが吸収紙１Ｂの唾液を吸収し、線状パルプの中の高分子吸収材１Ｄは水分を吸収していない前は高分子吸水材１Ｄは粉末で、線状パルプ１Ｃに吸収された唾液を高分子吸収材１Ｄが吸収するとゼリー状になり、唾液が増えると水分によって変色するお知らせ部１Ｅが変色し唾液が溜まったことがわかるようにし、変色したら唾液吸収材２と唾液容量吸収お知らせ部１を図７の様に着脱できる構造になっている。
【産業上の利用可能性】
【００１３】
【図面の簡単な説明】
【図１】本発明唾液吸収具の正面図
【図２】本発明唾液吸収具の背面図
【図３】図２本発明唾液吸収具のＡ−Ａ断面図
【図４】本発明の実施図
【図５】本発明唾液吸収具おしゃぶり器の平面図
【図６】本発明唾液吸収具おしゃぶり器のＢ−Ｂ断面図
【図７】本発明唾液吸収具おしゃぶり器の取付け図
【図８】従来の実施図
【符号の説明】  １    唾液容量吸収お知らせ部
１Ａ  不織布
１Ｂ  吸収紙
１Ｃ  綿状パルプ
１Ｄ  高分子吸収材
１Ｅ  お知らせサイン
２    唾液吸収材
３    口おい布
４    容量吸収お知らせ部覗き窓
５    耳かけ式取付け部
６    口の中
７    唾液
８    舌
９    唾液の吸収方向
１０    おしゃぶり器
１１    唾液吸収材接続穴
１２    耳かけ式取付け部通し穴
１３    唾液吸収交換材
１４    吸収用カテーテル
【図１】
2018011908.tif 000003
【図２】
2018011908.tif 000004
【図３】
2018011908.tif 000005
【図４】
2018011908.tif 000006
【図５】
2018011908.tif 000007
【図６】
2018011908.tif 000008
【図７】
2018011908.tif 000009
【図８】
2018011908.tif 000010
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
口の中の唾液を吸収するための口の中に入れる唾液吸収材と、前記唾液吸収材を結合した容量吸収お知らせ部と、前記容量吸収お知らせ部の中央に容量吸収お知らせサインを設け、前記容量吸収お知らせ部を結合した口おおい布と、前記口おおい布の一角に耳かけ式取付け部を備えた唾液吸収具。
【請求項２】
口の中の位置に固定するためのおしゃぶり器に、口の中の唾液を吸収するための口の中に入れる唾液吸収材と、前記唾液吸収材を結合した容量吸収お知らせ部と、前記容量吸収お知らせ部の中央に容量吸収お知らせサインを設け、前記容量吸収お知らせ部を前記おしゃぶり器の中央に取り付け、前記おしゃぶり器の端部に一対の耳かけ式取付け部を備えた唾液吸収具。
【請求項３】
高分子吸収材を前記容量吸収お知らせ部に内蔵した特徴とする請求項１又は２に記載の唾液吸収具。
【請求項４】
容量吸収お知らせ部に覗き窓を設けた前記容量吸収お知らせ部を取り付けた請求項１から請求項３のいずれに記載の唾液吸収具。
【手続補正２】
【補正対象書類名】明細書
【補正対象項目名】０００５
【補正方法】変更
【補正の内容】
【０００５】口の中の唾液を吸収するための口の中に入れる唾液吸収材と、前記唾液吸収材を結合した容量吸収お知らせ部と、前記容量吸収お知らせ部の中央に容量吸収お知らせサインを設け、前記容量吸収お知らせ部を結合した口おおい布と、前記口おおい布の一角に耳かけ式取付け部を備えた唾液吸収具。
口の中の位置に固定するためのおしゃぶり器に、口の中の唾液を吸収するための口の中に入れる唾液吸収材と、前記唾液吸収材を結合した容量吸収お知らせ部と、前記容量吸収お知らせ部の中央に容量吸収お知らせサインを設け、前記容量吸収お知らせ部を前記おしゃぶり器の中央に取り付け、前記おしゃぶり器の端部に一対の耳かけ式取付け部を備えた唾液吸収具。
さらに高分子吸収材を前記容量吸収お知らせ部に内蔵した特徴とする請求項１又は請求項２に記載の唾液吸収具。
そして容量吸収お知らせ部に覗き窓を設けた前記容量吸収お知らせ部を取り付けた請求項１から請求項３のいずれに記載の唾液吸収具。